(57)【要約】【課題】フィードバック情報を提供するデジタルフォトフレームサービス及びデジタルフォトフレームサービスを提供するサーバが開示される。【解決手段】サーバは、第１ユーザから第１ユーザのイメージ共有リクエストを受信する。リクエストに応じてサーバは、第１ユーザのイメージを第２ユーザと共有し、第１ユーザのイメージを第２ユーザのデジタルフォトフレームに送信する。サーバは、デジタルフォトフレームから第１ユーザのイメージに対するフィードバック情報を受信し、第１ユーザのイメージメタデータにフィードバック情報を反映する。【選択図】図３
2014038599.tif 000002
【特許請求の範囲】
【請求項１】
サーバがデジタルフォトフレームサービスを提供する方法において、
第１ユーザの端末から前記サーバ内の前記第１ユーザのイメージに対する共有リクエストを受信し、
前記共有リクエストを受信することによって前記イメージが第２ユーザと共有されるように設定し、
前記第２ユーザと共有された前記イメージのデータを前記第２ユーザのデジタルフォトフレームに送信し、
前記デジタルフォトフレームから前記イメージに対するフィードバック情報を受信し、
前記サーバ内の前記イメージのメタデータに前記フィードバック情報を反映する、
ことを含む、デジタルフォトフレームサービス提供方法。
【請求項２】
前記フィードバック情報は、前記第２ユーザが前記イメージを選択することを示す選択フィードバック情報である、請求項１に記載のデジタルフォトフレームサービス提供方法。
【請求項３】
前記フィードバック情報は、前記第２ユーザが前記デジタルフォトフレーム内で前記イメージと共に出力されたマークを選択することによって生成される、請求項１に記載のデジタルフォトフレームサービス提供方法。
【請求項４】
前記メタデータを前記イメージに関連して提供することをさらに含む、請求項１に記載のデジタルフォトフレームサービス提供方法。
【請求項５】
前記サーバはクラウドサービスを提供するクラウドサーバであり、
前記イメージのデータはイメージファイルとして前記サーバの前記第１ユーザのために割り当てられた格納空間内に格納される、請求項１に記載のデジタルフォトフレームサービス提供方法。
【請求項６】
前記第２ユーザは複数のユーザであり、前記デジタルフォトフレームは複数である、請求項１に記載のデジタルフォトフレームサービス提供方法。
【請求項７】
前記サーバのユーザのうち前記イメージのデータを送信する前記第２ユーザを選択するステップをさらに含む、請求項１に記載のデジタルフォトフレームサービス提供方法。
【請求項８】
前記選択するステップは、前記第１ユーザが属するグループ内のユーザのうち前記第２ユーザを選択する、請求項７に記載のデジタルフォトフレームサービス提供方法。
【請求項９】
前記選択するステップは、前記イメージのメタデータに基づいて前記第２ユーザを選択する、請求項７に記載のデジタルフォトフレームサービス提供方法。
【請求項１０】
請求項１乃至請求項９のいずれか一項に記載の方法を実行するプログラムを収録した、コンピュータで読み取り可能な記録媒体。
【請求項１１】
第１ユーザの端末から前記サーバ内の前記第１ユーザのイメージに対する共有リクエストを受信し、第２ユーザと共有された前記イメージのデータを前記第２ユーザのデジタルフォトフレームに送信し、前記デジタルフォトフレームから前記イメージに対するフィードバック情報を受信する送受信部と、
前記共有リクエストを受信することによって前記イメージが第２ユーザと共有されるように設定し、前記サーバ内の前記イメージのメタデータに前記フィードバック情報を反映する処理部と、
を備えるサーバ。
【請求項１２】
前記フィードバック情報は、前記第２ユーザが前記イメージを選択することを示す選択フィードバック情報である、請求項１１に記載のサーバ。
【請求項１３】
前記フィードバック情報は、前記第２ユーザが前記デジタルフォトフレーム内で前記イメージと共に出力されたマークを選択することによって生成される、請求項１１に記載のサーバ。
【請求項１４】
前記処理部は、前記メタデータを前記イメージに関連して提供する、請求項１１に記載のサーバ。
【請求項１５】
前記サーバはクラウドサービスを提供するクラウドサーバであり、
前記イメージのデータはイメージファイルとして前記サーバの前記第１ユーザのために割り当てられた格納空間内に格納される、請求項１１に記載のサーバ。
【請求項１６】
前記第２ユーザは複数のユーザであり、前記デジタルフォトフレームは複数である、請求項１１に記載のサーバ。
【請求項１７】
前記処理部は、前記サーバのユーザのうち前記イメージのデータを送信する前記第２ユーザを選択する、請求項１１に記載のサーバ。
【請求項１８】
前記処理部は、前記第１ユーザが属するグループ内のユーザのうち前記第２ユーザを選択する、請求項１７に記載のサーバ。
【請求項１９】
前記処理部は、前記イメージのメタデータに基づいて前記第２ユーザを選択する、請求項１７に記載のサーバ。
【発明の詳細な説明】
【技術分野】
【０００１】
下記の実施形態はデジタルフォトフレームのためのサービスを提供する方法及び装置に関し、より詳細には共有されたイメージ及び共有されたイメージに対するフィードバック情報をデジタルフォトフレームに提供する方法及び装置に関する。
【背景技術】
【０００２】
一般的にデジタルフォトフレーム（ｄｉｇｉｔａｌ  ｐｈｏｔｏ  ｆｒａｍｅ）は、デジタルカメラまたは携帯電話などによって撮影されたイメージデータまたはコンピュータなどに格納されたイメージを液晶クリスタルディスプレイ（Ｌｉｑｕｉｄ  Ｃｒｙｓｔａｌ  Ｄｉｓｐｌａｙ：ＬＣＤ）などにディスプレイする装置を意味する。
【０００３】
デジタルフォトフレームは、解像度及びカラーなどのようなイメージ属性に関係がなく、写真のフレームまたはアルバムの機能を提供してもよい。
【０００４】
デジタルフォトフレームは、コンパクトフラッシュ（登録商標）（ｃｏｍｐａｃｔ  ｆｌａｓｈ）及びセキュアデジタル（Ｓｅｃｕｒｅ  Ｄｉｇｉｔａｌ；ＳＤ）などのメモリカードからイメージデータを読み出してもよい。また、デジタルフォトフレームは、インターネットなどのような有無線ネットワークによってイメージデータを受信してもよい。デジタルフォトフレームは、読出または受信したイメージデータを用いてイメージを出力してもよい。
【発明の概要】
【発明が解決しようとする課題】
【０００５】
本件発明の目的の一つは、デジタルフォトフレームに送信されたイメージに対するフィードバック情報を提供する方法及び装置を提供することにある。
【０００６】
本件発明の目的の一つは、イメージのメタデータ（イメージメタデータ）に基づいてイメージが共有または送信されるユーザを選択する方法及び装置を提供することにある。
【０００７】
本件発明の目的の一つは、デジタルフォトフレームから送信されたイメージに対するフィードバック情報をイメージメタデータに反映する方法及び装置を提供することにある。
【課題を解決するための手段】
【０００８】
本件発明の一実施形態によれば、サーバがデジタルフォトフレームサービスを提供する方法において、第１ユーザの端末からサーバ内の第１ユーザのイメージに対する共有リクエストを受信するステップと、共有リクエストを受信することによってイメージが第２ユーザと共有されるように設定するステップと、第２ユーザと共有されたイメージデータを第２ユーザのデジタルフォトフレームに送信するステップと、デジタルフォトフレームから第１イメージに対するフィードバック情報を受信するステップと、サーバ内のイメージメタデータにフィードバック情報を反映するステップとを含むデジタルフォトフレームサービス提供方法を提供する。
【０００９】
フィードバック情報は、第２ユーザがイメージを選択することを示す選択フィードバック情報であってもよい。
【００１０】
フィードバック情報は、第２ユーザがデジタルフォトフレーム内でイメージと共に出力されたマークを選択することによって生成されてもよい。
【００１１】
デジタルフォトフレームサービス提供方法は、メタデータをイメージに関連して提供するステップをさらに含んでもよい。
【００１２】
サーバはクラウドサービスを提供するクラウドサーバであってもよい。
【００１３】
イメージデータはイメージファイルとしてサーバの第１ユーザのために割り当てられた格納空間内に格納されてもよい。
【００１４】
第２ユーザは複数のユーザであってもよい。
【００１５】
デジタルフォトフレームは複数であってもよい。
【００１６】
デジタルフォトフレームサービス提供方法は、サーバのユーザのうちイメージデータを送信する第２ユーザを選択するステップをさらに含んでもよい。
【００１７】
選択するステップは、第１ユーザが属するグループ内のユーザのうち第２ユーザを選択してもよい。
【００１８】
選択するステップは、イメージメタデータに基づいて第２ユーザを選択してもよい。
【００１９】
他の一実施形態によると、第１ユーザの端末からサーバ内の第１ユーザのイメージに対する共有リクエストを受信し、第２ユーザと共有されたイメージデータを第２ユーザのデジタルフォトフレームに送信し、デジタルフォトフレームから第１イメージに対するフィードバック情報を受信する送受信部と、共有リクエストを受信することによってイメージが第２ユーザと共有されるように設定し、サーバ内のイメージメタデータにフィードバック情報を反映する処理部とを備えるサーバを提供する。
【００２０】
処理部は、メタデータをイメージに関連して提供してもよい。
【００２１】
処理部は、サーバのユーザのうちイメージデータを送信する第２ユーザを選択してもよい。
【００２２】
処理部は、第１ユーザが属するグループ内のユーザのうち第２ユーザを選択してもよい。
【００２３】
処理部は、イメージメタデータに基づいて第２ユーザを選択してもよい。
【発明の効果】
【００２４】
本発明によると、共有されたイメージに対するフィードバック情報を提供することによって、イメージを提供したユーザは自身のイメージに対する他のユーザのフィードバックを認識することができる。
【００２５】
本発明によると、イメージメタデータに基づいてイメージが共有または送信されるユーザが選択されるため、ユーザは容易に自身のイメージを関連する他のユーザに提供することができる。
【図面の簡単な説明】
【００２６】
【図１】一実施形態に係るデジタルフォトフレームサービスシステムの構造図である。
【図２】一実施形態に係るサーバの構造図である。
【図３】一実施形態に係るデジタルフォトフレームサービス提供方法のフローチャートである。
【図４】一例に係るフィードバック情報の生成方法を説明する。
【図５】一例に係るイメージメタデータを用いて第２ユーザを選択する方法を説明する。
【図６】一例に係るイメージメタデータを提供する方法を説明する。
【発明を実施するための形態】
【００２７】
以下、添付する図面を参照しながら実施形態を詳細に説明する。各図面に提示された同一の参照符号は同一の部材を示す。
【００２８】
図１は、一実施形態に係るデジタルフォトフレームサービスシステムの構造図である。
【００２９】
デジタルフォトフレームサービスシステム１００の各ユーザはデジタルフォトフレームまたは端末を用いてもよい。
【００３０】
デジタルフォトフレームサービスシステム１００は、第１ユーザの端末１１０、サーバ１２０及び第２ユーザのデジタルフォトフレーム１３０を含む。
【００３１】
第１ユーザは、端末１１０を用いてイメージを提供するユーザであってもよい。第２ユーザはデジタルフォトフレーム１３０によってイメージが提供され、イメージに対するフィードバックを提供するユーザであってもよい。
【００３２】
端末１１０は、イメージデータをサーバ１２０に送信してもよい。また、端末１１０は、サーバ１２０によって提供されるサービスを用いてサーバ１２０に送信されたイメージを第２ユーザのようなデジタルフォトフレームサービスの他のユーザと共有してもよい。ここで、共有とは、イメージデータをデジタルフォトフレーム１３０に送信することを意味する。または、共有とは、第２ユーザのデジタルフォトフレーム１３０がサーバ１２０内の第１ユーザのイメージデータにアクセスすることを許容することを意味する。
【００３３】
端末１１０は、送信または共有を行うパソコン（Ｐｅｒｓｏｎａｌ  Ｃｏｍｐｕｔｅｒ；ＰＣ）、タブレット（ｔａｂｌｅｔ）、及びスマートフォン（ｓｍａｒｔ  ｐｈｏｎｅ）であってもよく、第１ユーザのデジタルフォトフレームであってもよい。端末１１０は複数の端末であってもよい。例えば、複数の端末のうち一部の端末はイメージデータをサーバ１２０に送信してもよく、他の一部の端末はサーバ１２０が提供するデジタルフォトフレームサービスを用いてもよい。端末１１０は、端末１１０によって撮影されたイメージデータまたは端末１１０内に格納されたイメージデータをサーバ１２０に送信してもよい。
【００３４】
サーバ１２０は、端末１１０及びデジタルフォトフレーム１３０にデジタルフォトフレームサービスを提供してもよい。
【００３５】
サーバ１２０は、第１ユーザ及び第２ユーザを含むデジタルフォトフレームサービスのユーザのためのアカウントを管理する。サーバ１２０は、アカウントごとにアルバムを管理してもよい。１つのアカウントは複数のアルバムを有してもよく、１つのアルバムは複数のイメージを含んでもよい。
【００３６】
端末１１０は、サーバ１２０に接続して第１ユーザのアカウントを生成、削除または変更し、第１ユーザのアルバムを生成、削除または変更してもよい。また、端末１１０は、サーバ１２０に接続して第１ユーザのアカウントにイメージを追加したり、第１ユーザのアカウントでイメージを削除したりしてもよい。また、端末１１０は、第１ユーザのアルバムにイメージを追加したり、第１ユーザのアルバムからイメージを削除したりしてもよい。言い換えれば、サーバ１２０内で第１ユーザのイメージはアカウントまたはアルバムに含まれてもよい。
【００３７】
サーバ１２０は、イメージデータをデジタルフォトフレーム１３０に送信してもよい。
【００３８】
サーバ１２０及びデジタルフォトフレーム１３０は同期化を行う。同期化は、サーバ１２０内のデジタルフォトフレーム１３０に送信されるものと設定されたイメージをデジタルフォトフレーム１３０内に格納されたイメージと一致させる作業を意味する。同期化は、アカウントごとまたはアルバムごとに行われてもよい。例えば、サーバ１２０内の特定アルバム内のイメージデータが同期化によってデジタルフォトフレーム１３０に送信されてもよい。
【００３９】
または、デジタルフォトフレーム１３０は、サーバ１２０に対し、自身にアクセス権限が付与されたイメージデータをリクエストしてもよい。サーバ１２０は、リクエストに対応してデジタルフォトフレーム１３０にアクセス権限が付与されたイメージデータをデジタルフォトフレーム１３０に送信してもよい。ここで、デジタルフォトフレーム１３０にアクセス権限の付与されたイメージとは、デジタルフォトフレーム１３０またはデジタルフォトフレーム１３０の第２ユーザに共有されたイメージを意味する。
【００４０】
デジタルフォトフレーム１３０は、送信されたイメージデータを用いてイメージを出力してもよい。
【００４１】
デジタルフォトフレーム１３０は、出力されたイメージに対するフィードバック情報をサーバ１２０に送信してもよい。フィードバック情報は、デジタルフォトフレーム１３０の第２ユーザがデジタルフォトフレーム１３０を操作することによって生成されてもよい。
【００４２】
図２は、一実施形態に係るサーバの構造図である。
【００４３】
サーバ１２０は、送受信部２１０、処理部２２０及び格納部２３０を備える。
【００４４】
送受信部２１０は、有無線ネットワークを介して端末１１０及びデジタルフォトフレーム１３０とイメージデータを送受信してもよい。また、送受信部２１０は、端末１１０及びデジタルフォトフレーム１３０とデータを送受信してもよい。ここで、データは、デジタルフォトフレームサービスを提供するためのデータであってもよい。
【００４５】
送受信部２１０は、ネットワークインタフェースカード、ネットワークインタフェースチップ、及びネットワーキングインタフェースポートなどのようなハードウェアモジュールであってもよく、ネットワークデバイスドライバまたはネットワーキングプログラムのようなソフトウェアモジュールであってもよい。
【００４６】
処理部２２０は、少なくとも１つのプロセッサまたはプロセッサ内の少なくとも１つのコアであってもよい。処理部２２０は、デジタルフォトフレームサービスを提供するために必要な動作を行う。ここで、動作の実行は、格納部２３０内に格納されたプログラムコードの実行を意味する。
【００４７】
格納部２３０はイメージデータを格納する。処理部２２０は、処理部２２０に送信されたイメージデータを格納部２３０内に格納してもよい。また、格納部２３０は、ユーザのアカウント及びアルバムに関連する情報を格納してもよく、端末１１０の設定及びデジタルフォトフレーム１３０の設定に関連する情報などのようなデジタルフォトフレームサービスを提供するために必要な情報を格納してもよい。格納部２３０は、格納された情報を処理部２２０に提供してもよい。
【００４８】
図３は、一実施形態に係るデジタルフォトフレームサービス提供方法のフローチャートである。
【００４９】
後述のデジタルフォトフレームサービス提供方法は、サーバ１２０が端末１１０及びデジタルフォトフレーム１３０にデジタルフォトフレームサービスを提供する方法である。第１ユーザは、端末１１０の所有者またはユーザであってもよい。第２ユーザは、デジタルフォトフレーム１３０の所有者またはユーザであってもよい。第２ユーザは複数のユーザであってもよく、デジタルフォトフレーム１３０は複数であってもよい。
【００５０】
ステップＳ３１０において、サーバ１２０の送受信部２１０は、端末１１０から第１ユーザのイメージデータを受信する。ここで、イメージは複数であってもよい。
【００５１】
ステップＳ３１５において、サーバ１２０の処理部２２０は、受信された第１ユーザのイメージデータを第１ユーザのイメージとして格納部２３０内に格納する。処理部２２０は、第１ユーザのイメージデータを第１ユーザのアカウントまたは第１ユーザのアルバムに関連して格納してもよい。
【００５２】
サーバ１２０は、クラウドサービスを提供するクラウドサーバであってもよい。第１ユーザのイメージデータは、イメージファイルとして、サーバ１２０の第１ユーザのために割り当てられた格納領域に格納されてもよい。
【００５３】
ステップＳ３２０において、サーバ１２０の送受信部２１０は、端末１１０からサーバ１２０内に格納された第１ユーザのイメージに対する共有リクエストを受信する。
【００５４】
ここで、共有とは、サーバ１２０の他のユーザが第１ユーザのイメージにアクセスすることを許容することを意味する。または、共有とは、サーバ１２０が第１ユーザのイメージを他のユーザに提供することを意味する。
【００５５】
第１ユーザのイメージを共有するユーザは、共有リクエスト内で指定されてもよい。例えば、ステップＳ３２０における共有リクエストは、第１ユーザのイメージを第２ユーザと共有することを示したり、第１ユーザのイメージを、第２ユーザを含むユーザのグループと共有したりすることを示してもよい。または、処理部２２０は、サーバ１２０のユーザのうち第１ユーザのイメージを共有するユーザを選択してもよい。以下、第２ユーザは、第１ユーザのイメージが共有された他のユーザまたは他のユーザのうちの一人を示してもよい。
【００５６】
共有の単位は、アカウント、アルバムまたはイメージであってもよい。すなわち、第１ユーザのアカウント内のイメージ全体、第１ユーザの第１アルバム内のイメージ全体、または第１ユーザの単一イメージが、第２ユーザと共有されてもよい。
【００５７】
ステップＳ３３０において、処理部２２０は、共有リクエストを受信することによって第１ユーザのイメージが第２ユーザと共有されるように設定する。処理部２２０は、第１ユーザのイメージがサーバ１２０のユーザのうち選択された複数のユーザと共有されるように設定してもよく、選択された複数のユーザは第２ユーザを含んでもよい。
【００５８】
ステップＳ３４０において、処理部２２０は、サーバ１２０のユーザのうち第１ユーザのイメージを送信する第２ユーザを選択する。言い換えれば、処理部２２０は、第１ユーザのイメージが共有された複数のユーザのうち第１ユーザのイメージを送信するユーザを選択してもよい。ここで、第２ユーザの選択は、第２ユーザのデジタルフォトフレーム１３０を選択することを意味する。
【００５９】
サーバ１２０は、ソーシャルネットワークサービスを構築するサーバであってもよい。第１ユーザのイメージが共有された複数のユーザは、第１ユーザが属するグループ内のユーザであってもよい。グループは、ソーシャルネットワークサービス上で設定されたグループであってもよい。サーバ１２０は、第１ユーザが属するグループ内のユーザのうち第２ユーザを選択してもよい。
【００６０】
サーバ１２０は、選択された第２ユーザに対する承認を端末１１０または端末１１０の第１ユーザにリクエストしてもよい。例えば、第１ユーザが選択された第２ユーザを承認する場合に下記のステップＳ３５０が行われる。
【００６１】
第２ユーザを選択するための他の一例については、図５を参照して詳細に説明する。
【００６２】
ステップＳ３５０において、送受信部２１０は、第１ユーザのイメージデータを第２ユーザのデジタルフォトフレーム１３０に送信する。第１ユーザのイメージデータは、サーバ１２０及びデジタルフォトフレーム１３０間の同期化によってサーバ１２０からデジタルフォトフレーム１３０に送信されてもよい。この同期化は、前述のステップＳ３２０における共有の単位に応じて行われてもよい。言い換えれば、サーバ１２０は、第１ユーザのアカウント内のイメージ全体のデータ、第１ユーザの第１アルバム内のイメージ全体のデータ、または第１ユーザの単一イメージデータを同期化することによってデジタルフォトフレーム１３０に送信してもよい。
【００６３】
ステップＳ３６０において、デジタルフォトフレーム１３０は、送信された第１ユーザのイメージデータを用いて第１ユーザのイメージを出力する。第２ユーザは、デジタルフォトフレーム１３０を通して第１ユーザのイメージを確認することができる。
【００６４】
ステップＳ３６５において、デジタルフォトフレーム１３０は、第１ユーザのイメージに対するフィードバック情報を生成する。ここで、フィードバック情報は、第２ユーザが第１ユーザのイメージを選択することを示す選択フィードバック情報であってもよい。フィードバック情報を生成する具体的な方法は、下記で図４を参照して詳細に説明する。
【００６５】
ステップＳ３７０において、サーバ１２０の送受信部２１０は、デジタルフォトフレーム１３０から第１ユーザのイメージに対するフィードバック情報を受信する。
【００６６】
ステップＳ３８０において、サーバ１２０の処理部２２０は、第１ユーザのイメージメタデータに受信されたフィードバック情報を反映する。第１ユーザのイメージメタデータについては、下記で図６を参照して詳細に説明する。
【００６７】
ステップＳ３９０において、サーバ１２０の処理部２２０は、メタデータをイメージに関連して端末１１０またはデジタルフォトフレーム１３０に提供する。この提供によって、端末１１０の第１ユーザまたはデジタルフォトフレーム１３０の第２ユーザは、フィードバック情報に基づいて生成されたメタデータを認識することができる。
【００６８】
本件発明の一実施形態に係るフィードバック情報の生成方法を、図４を参照して説明する。
【００６９】
図４においては、デジタルフォトフレーム１３０が図示され、デジタルフォトフレーム１３０のディスプレイに出力された第１ユーザのイメージ４１０及び第１ユーザのイメージと共に出力されるマーク４２０が図示されている。
【００７０】
前述したステップＳ３６０において、デジタルフォトフレーム１３０は、第１ユーザのイメージ４１０と共にマーク４２０を出力してもよい。
【００７１】
デジタルフォトフレーム１３０は、第２ユーザがデジタルフォトフレーム１３０内で第１ユーザのイメージ４１０と共に出力されたマーク４２０を選択することを認識する。ここで、マーク４２０の選択とは、マウスのカーソル（ｃｕｒｓｏｒ）を用いてマーク４２０をクリックすることを意味し、あるいはタッチスクリーンによってマーク４２０をタッチすることを意味してもよい。フィードバック情報は、第２ユーザがデジタルフォトフレーム１３０内で第１ユーザのイメージ４１０と共に出力されたマークを選択することによって生成されてもよい。
【００７２】
前述したように、マーク４２０は、第２ユーザが第１ユーザのイメージを選択することを示す。マーク４２０は複数であってもよい。複数のマークは、それぞれ第２ユーザが第１ユーザのイメージに対して有する感想及び評価などのフィードバックを示してもよい。ユーザが複数のマークのいずれかのマークを選択したかに応じて、特定のフィードバック情報を生成してもよい。例えば、２つのマークのうち第１マークが選択された場合、第２ユーザが第１ユーザのイメージを選択することを示す選択フィードバック情報が生成されてもよく、第２マークが選択された場合、第２ユーザが第１ユーザのイメージを選択しないことを示す非選択フィードバック情報が生成されてもよい。
【００７３】
本件発明の一実施形態に係るイメージメタデータを用いて第２ユーザを選択する方法を、図５を参照して説明する。
【００７４】
イメージメタデータ５２０は、イメージが撮影された時刻情報５２２、イメージが撮影された場所情報５２４、及びイメージ内の人物情報５２６を含む。
【００７５】
イメージデータ５１０がイメージファイル５００内に含まれた場合、イメージファイル５００は、イメージデータ５１０の他にもイメージメタデータ５２０を含んでもよい。イメージメタデータ５２０は、イメージファイル５００が生成されるとき共に生成されてもよい。例えば、カメラが被写体を撮影することによってイメージファイル５００を生成するとき、イメージが撮影された時刻情報５２２及びイメージが撮影された場所情報５２４がイメージファイル内に記録されてもよい。
【００７６】
処理部２２０は、イメージメタデータ５２０を生成してもよい。例えば、処理部２２０は、イメージデータ５１０に顔認識技術を適用することによって、イメージ内にサーバ１２０のユーザのうちどの顔がイメージ内にあるかを認識することができる。処理部２２０は、認識によってイメージ内の人物情報５２６をイメージメタデータ５２０に追加してもよい。
【００７７】
図３に示したステップＳ３２０において、処理部２２０は、サーバ１２０のユーザのうち第１ユーザのイメージを共有するユーザを選択してもよい。また、図３に示したステップＳ３４０において、処理部２２０は、サーバ１２０のユーザのうち第１ユーザのイメージを送信するユーザを選択してもよい。
【００７８】
処理部２２０は、第１ユーザのイメージメタデータに基づいて、ステップＳ３２０における第１ユーザのイメージを共有するユーザ、またはステップＳ３４０における第１ユーザのイメージを送信するユーザを選択してもよい。
【００７９】
例えば、処理部２２０は、イメージが撮影された場所情報５２４を用いてイメージが撮影された場所に関連するユーザを第１ユーザのイメージを共有するユーザ、または第１ユーザのイメージを送信するユーザとして選択してもよい。イメージが撮影された場所が特定の学校、会社または建物などを示す場合、処理部２２０はサーバ１２０のユーザのうち学校、会社または建物に関連するユーザを選択してもよい。
【００８０】
例えば、処理部２２０は、イメージ内の人物情報５２６を用いて、人物に対応するユーザまたは異なる人物に関連するユーザを、第１ユーザのイメージを共有するユーザまたは第１ユーザのイメージを送信するユーザとして選択してもよい。イメージ内の人物情報５２６がサーバ１２０の特定のユーザを示す場合、処理部２２０はサーバ１２０のユーザのうち特定のユーザ本人、特定のユーザ家族または特定のユーザの友人を選択してもよい。
【００８１】
本件発明の一実施形態に係るイメージメタデータを提供する方法を、図６を参照して説明する。
【００８２】
ユーザ「ＬＥＥ」のデジタルフォトフレーム、ユーザ「ＫＩＭ」のデジタルフォトフレーム及びユーザ「ＣＨＯＩ」のデジタルフォトフレームは、それぞれステップＳ３７０においてサーバ１２０にフィードバック情報を送信する。
【００８３】
ステップＳ３９０における処理部２２０は、イメージに関連するメタデータを、端末１１０またはデジタルフォトフレーム１３０に提供する。
【００８４】
第１ユーザのイメージに関連するメタデータ６００は、フィードバック情報を提供した第２ユーザ数６１０、及びフィードバック情報を提供した第２ユーザリスト６２０を含んでもよい。すなわち、ステップＳ３８０における処理部２２０は、第１ユーザのイメージが送信された複数の第２ユーザのうち、どの第２ユーザがフィードバック情報を残したかを、第１ユーザのイメージメタデータに反映してもよい。処理部２２０は、第１ユーザのイメージメタデータに第１ユーザのイメージが送信された複数の第２ユーザのうち、何人のユーザがフィードバック情報を生成したかを示す情報をさらに追加してもよく、フィードバック情報を生成したユーザリストを追加してもよい。
【００８５】
第１ユーザのイメージに関連するメタデータ６００は、端末１１０またはデジタルフォトフレーム１３０内から出力され、端末１１０の第１ユーザ及びデジタルフォトフレーム１３０の第２ユーザは出力された第１ユーザのイメージに関連するメタデータ６００によって第１ユーザのイメージに対する他のユーザのフィードバックを把握することができる。
【００８６】
以上で説明した装置は、ハードウェア構成要素、ソフトウェア構成要素、及び／またはハードウェア構成要素及びソフトウェア構成要素の組合で実現されてもよい。例えば、実施形態で説明された装置及び構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサー、または、命令（ｉｎｓｔｒｕｃｔｉｏｎ）を実行して応答することのできる装置のように、１つ以上の汎用コンピュータまたは特殊目的のコンピュータを用いて実現されてもよい。処理装置は、オペレーションシステム（ＯＳ）及びＯＳ上で実行される１つ以上のソフトウェアアプリケーションを含んでもよい。また、処理装置はソフトウェアの実行に応答し、データをアクセス、格納、操作、処理及び生成してもよい。理解の便宜のために、処理装置は１つが用いられるものと説明する場合もあるが、当該の技術分野において通常の知識を有する者は、処理装置が複数の処理要素（ｐｒｏｃｅｓｓｉｎｇ  ｅｌｅｍｅｎｔ）及び／または複数類型の処理要素を含んでいることが分かる。例えば、処理装置は複数のプロセッサまたは１つのプロセッサ及び１つのコントローラを含んでもよい。また、並列プロセッサ（ｐａｒａｌｌｅｌ  ｐｒｏｃｅｓｓｏｒ）のような他の処理構成（ｐｒｏｃｅｓｓｉｎｇ  ｃｏｎｆｉｇｕｒａｔｉｏｎ）も可能である。
【００８７】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、または、このうちの１つ以上の組み合わせを含んでもよく、所望の動作をするように処理装置を構成したり、独立的または結合的に処理装置を命令したりしてもよい。ソフトウェア及び／またはデータは、処理装置によって解釈されたり、処理装置に命令またはデータを提供したりするために、あらゆる類型の機械、構成要素、物理的装置、仮想装置（ｖｉｒｔｕａｌ  ｅｑｕｉｐｍｅｎｔ）、コンピュータ格納媒体または装置、または送信される信号波（ｓｉｇｎａｌ  ｗａｖｅ）に永久的または一時的に具体化される。ソフトウェアは、ネットワークに接続されたコンピュータシステム上に分散され、分散された方法で格納されたり実行されたりしてもよい。ソフトウェア及びデータは１つ以上のコンピュータで読み取り可能な記録媒体に格納されてもよい。
【００８８】
本件発明の一実施形態に係る方法は、多様なコンピュータ手段を介して様々な処理を実行することができるプログラム命令の形態で実現され、コンピュータ読み取り可能な記録媒体に記録されてもよい。コンピュータ読み取り可能な媒体は、プログラム命令、データファイル、データ構造などのうちの１つまたはその組合せを含んでもよい。媒体に記録されるプログラム命令は、本発明の目的のために特別に設計されて構成されたものでもよく、コンピュータソフトウェア分野の技術を有する当業者にとって公知のものであり、使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。
【００８９】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。
【００９０】
したがって、本発明の範囲は、開示された実施形態に限定されるものではなく、特許請求の範囲だけではなく特許請求の範囲と均等なものなどによって定められるものである。
【符号の説明】
【００９１】
１１０：端末
１２０：サーバ
１３０：デジタルフォトフレーム
【図１】
2014038599.tif 000003
【図２】
2014038599.tif 000004
【図３】
2014038599.tif 000005
【図４】
2014038599.tif 000006
【図５】
2014038599.tif 000007
【図６】
2014038599.tif 000008